(57)【要約】      （修正有）【課題】認知症の予防と改善方法において、従来は主に状態の維持、あるいは症状の緩和を目的として薬物投与による対症療法が恒常的に行なわれている。  又、認知症は治らないものとの観念が一般的で、リハビリテーションにおける改善方法に至っては皆無の状態であった。【解決手段】認知症の予防と改善、即ち日常生活面の機能の改善を主たる目的として、従来の薬物による副作用などの弊害を解決する為、運動療法を基本として構成された精神機能の改善と身体機能の改善プログラムを特徴としている。  即ち、感覚機能の改善、身体機能の改善、精神・身体機能の改善、知的機能の改善、この４種類の改善方法のプログラムを順次行って１回の療法とし、これを連続して行う事を特徴としている。  簡便な専用の用具類を用いる事で、誰でもが、プログラム通り行えば、一定の水準の効果を上げる事が出来、特別な技術や経験が無い方々にも実行可能なリハビリテーション方法と成っている。【選択図】  なし【特許請求の範囲】
【請求項１】
リハビリテーション用具として温熱マットを用いた（Ａ）感覚機能の改善プログラム、フィンガースポーツ及びフラハンドを用いた（Ｂ）身体機能の改善プログラム、ゲーゴルゲーム及び輪投げを用いた（Ｃ）精神・身体機能の改善プログラム、回想療法機を用いた（Ｄ）知的機能改善プログラム、これら４種の運動療法を基本とした改善プログラムを（Ａ）から（Ｄ）へ順次連続して行うことを特徴とする痴呆症の予防と改善方法。
【発明の詳細な説明】
【技術分野】
【０００１】  本発明は、痴呆症及び心身機能改善の為のリハビリテーション方法に係るものである。
【背景技術】
【０００２】  従来、痴呆症は治らないもとの観念が一般的であり、当然のことながら改善方法は、皆無に近い状態であった。【０００３】  近年、介護における痴呆症の問題が多く取り上げられるように成ってきており、この背景には、介護認定を受けた在宅介護の患者の約半数が痴呆症状を有し、且つ痴呆症は進行性の為、放置しておくと症状は更に悪化していく為である。
【発明の開示】
【発明が解決しようとする課題】
【０００４】  痴呆症状に対しては、治すというよりは対症療法として、主に薬物の投与による事が多く、精神安定剤などの投与が続けば、薬による弊害が出てくることが分かっていても行わざるを得ないのが現状である。
【発明の効果】
【０００５】  本発明は、これらの問題点を克服すべく考えられたもので、その特徴としては、薬物に頼らなくても良いように運動療法を基本として、精神面の機能と身体面の機能の改善方法を網羅し、系統的に組み立て、且つ個々の改善法の実践方法をプログラム化したことであり、これは日常生活面の機能の改善の為のプログラムでもある。【０００６】  これにより、誰でもが、プログラム通り行えば、一定の水準の効果を上げる事が出来、このことは、デイサービスセンターなどで、ホームヘルパーなどの特別にリハビリテーションの技術や経験が無い方々にも実行可能なものとなっている。
【発明を実施するための最良の形態】
【０００７】  発明の詳細を述べれば、本リハビリテーション方法は大きくは４つの改善方法から成り立っている。【０００８】  内容的には、（Ａ）感覚機能の改善、（Ｂ）身体機能の改善、（Ｃ）精神・身体機能の改善、（Ｄ）知的機能の改善となり、（Ａ）から（Ｄ）までの各プログラムを連続して行って１回のリハビリテーション療法とする。【０００９】  これを日々繰り返す事で、痴呆症の改善と予防が行えるものとなっている。【００１０】  更に、これらの４つの改善法は、夫々に必要な専用の用具の適用方法を細分化された指導手順としてプログラム化されてある。【００１１】  本発明の実施の例を各図に、又、プログラムの一例を各表に記載する。【００１２】  プログラムに沿って詳細を説明すれば、先ず（Ａ）感覚機能の改善を行う為に患者を椅子に座らせておこなう。【００１３】  この場合、体に障害のある人、高齢の為足腰が弱っている人等には、腰に図１のように腰安定装置を装着する。【００１４】  ここで用いる腰安定装置は、長方形の布製腰当パッド１の両端に、弧をなすようにベルト２が具備されており、概ベルト２は長さを自在に調整し且つ固定できるようになっている。【００１５】  先ず腰にパッド１を当て、次いでベルト２の弧状部を膝３に掛けて、パッド１が腰にぴったりと圧着するように適宜長さを調整して、腰を安定させる。【００１６】  次いで、予め暖めておいた温熱マット４、４’を用いて、表１の手順で逐次身体の部位を軽くたたきながら、血行促進と筋肉への適度の刺激を与えることで、感覚機能の改善をもたらし、尚且つ次の運動療法への準備とする。【００１７】  温熱療法に用いる温熱マット４、４’は、袋を等間隔に縫製するなどして筒を並べた状態にして、且つ概筒には夫々麦飯石６の細粒を適量充填させた活性マット５が内包さてある。【００１８】  これにより、温熱ボード７上に設置して暖められた温熱マット４、４’は、内部の麦飯石６が熱を保有し、且つ遠赤外線を放射する為、温熱ボード７より離して患者の体の各部に当てて療法を行えるようになっている。【００１９】  又、温熱マット４は１枚を使用して、使わない方の温熱マットは、温熱ボード７上に常備させて適温状態を維持させ、使用中の温熱マット４が冷えてきたら適宜交換して行う。【００２０】  血行が良くなり、動きやすくなっている事を確認して、（Ｂ）身体機能の改善の為、二種類の有酸素運動療法を夫々に専用の用具を用いて行う。【００２１】  最初は、手指腕運動機能活性化のトレーニング用具、フィンガースポーツを用いて有酸素運動を行う。【００２２】  これは図３に示すように、端部８、８’が樽状を呈し且つ端部８，８’は６本の円柱９、９’で繋がっており、ゴム等の適度の柔軟性を持つ材料で作られており、材質的には、樹脂を用いても良い。【００２３】  この６本の円柱９、９’の間隙に、手の指を小指１０から親指１０’までを順次奥まで挿入し、両手に装着した状態で、腕の伸縮に合わせて手を握ったり、開いたりの運動を、表２のプログラムのように繰り返す。【００２４】  これにより、指の各部にあるツボが適宜刺激を受け、且つ手の開閉運動は手と指の筋肉を強化し、筋肉の運動により血液の循環を良くして、筋肉に多くの酸素を供給し、上腕の運動とが相まって、脳への適度の刺激を与えつつ、身体機能の改善を促す事になる。【００２５】  又、歌を唄いながら、歌に合わせて運動を行うことでリズム感やスピード感が身に付き、緩慢な動作が改善される効果をもつだけでなく、簡単な学童唱歌を歌う場合に脳が活性化されることが知られており、又これにより、リハビリテーションを受けているという患者側の意識を少なくさせることで、継続的にリハビリテーションを行える利点も有する。【００２６】  次いで、フラハンドを用具として用いて、表３のプログラムに見られる様に有酸素運動を行う。【００２７】  実施中の状態を図４に示せば、中央にプーリー１３を有するシャフト１２にフープ１４を組み合わせて、シャフト１２の両側を手１１で握り、腕を伸ばした状態で膝を軽く屈伸させて、フープ１４がプーリー１３を中心にして偏心回転運動を行うようにさせる。【００２８】  この運動により、体の平衡感覚が養われ、又、膝の屈伸運動に依り衰えがちな足腰の強化を促進して、身体機能の改善のみならず介護予防にも役立つものと成っている。【００２９】    その後で、腕と足の感覚・筋力の強化の為に表４のプログラムに沿ってトレーニングを行い、運動療法の終了後は水分補給と体憩を適度にとる。【００３０】  通常では、これらの療法で午前中を費やす事になり、昼食を取り、残りの療法は午後から行うことと成る。【００３１】  （Ｃ）精神・身体機能の改善として、簡便なゲーム、すなわち輪投げと室内用球技を行うが、これは、何人もの患者を一度に行わせることにより、コミュニケーションを図らせる目的も持たせてある。【００３２】  先ず、ゲームマット１５を用いて輪投げを行うが、格子状のフレーム２２に着脱自在のピン２３が装着させてあり、フレーム２２は後部に脚２５を装着させてゲームマット１５の得点ゾーン１６上に設置する。【００３３】  フレーム２２は後部が持ち上がった事より、下の得点ゾーン１６の数字（図５を参照）に該当するピン２３の得点が見やすくなるばかりか、前方に対して、即ち輪２４が飛んで来る方向に先端を向けることで入れ易く、又、ピン２３全体がスタートライン１７から見易くしてある。【００３４】  スタートライン１７から輪２４を投げる事で、即ち動作としては腰をかがめ、足はライン１７を越えないように踏ん張り、上腕と共に斜め前方へ身体を伸ばすようにして輪２４を狙ったピン２３に投げる事により、上肢、下肢の全身を使い、且つ目は前方のピン２３を見据える事で、集中力が高まり、又、バランス感覚の向上を図ることに効果がある。【００３５】  室内球技としては、ゲートボールとゴルフのパターを組み合わせたようなゲーゴルゲームを、縦１ｍ×横５ｍのカーペットに類似したゲームマット１５を用いて行う。【００３６】  ゲームマット１５は適当な位置に得点ゾーン１６を有して、スタートライン１７より球１８を概得点ゾーン１６にスティック１９で打撃して得点を競うもので、ゲートボールの大きな球とスティックを用いて行うゲーゴルゲーム、ゴルフの小さい球とパターを用いるゴルフゲームの２種類のゲームを行う。【００３７】  ルールに関しては、衆知のゲートボールのルールを基にして、室内用である事と、コートの大きさが異なる為、それに合わせた内容としてある。（ルールの詳細は、本発明の内容に必ずしも必要としない為、記述を省略する。）【００３８】  図５は、ゲーゴルゲームを行っている状態を表す斜視図となっている。【００３９】  図中２１は変形得点ゾーンとなっており、ゴルフゲームをスタートライン２０から行う時に使用する。【００４０】  このように両側からゲームを行うので、患者は自発的に歩行する事になり、膝を軽くかがめてスティク１９で球１８を打つ、打ったボールをしゃがんで拾う等の動作の繰り返しは、運動能力を向上させる効果がある。【００４１】  加えて、レクリエーション的要素を加味して、ゲームを行うことで各自が知らないうちに高得点を競い合う結果、集中力、気力、行動力、判断力などを必然的に向上させることになる。【００４２】  高得点のゾーンを狙って投げた輪や打球した球が入った時の達成感、それに伴う他の患者達や介護者からの称賛の声などは、日頃は痴呆症患者として、阻害されたり馬鹿にされてきた人達にとっては、他人に認められたという満足感、やればできるという自信へと繋がって行くことにも成り、このことは、高齢者の尊厳の擁護にも関連するものである。【００４３】  又、いずれのゲームも本人に得点を計算させるが、これは簡単な計算を行う場合に、脳の大部分が使われている事が医学的に知られており、１〜２桁の加減計算を瞬時に何度も行うことで、脳が活性化される効果を目的としてある。【００４４】  ゲームの後に（Ｄ）知的機能の改善の為に回想療法を行うが、動から静へ、環境を変えることで、環境に対する適応力の向上を図り、且つ、本来の回想療法の効果、聴く、見る、話す、書くの日常生活に欠かせない機能の向上を図るものである。【００４５】  回想療法機２６は、一枚のパネル２７に動物や鳥や花を程良く一枚の絵となるように配置し描いてあり、且つ裏面より光を照射させ、画面をやや後方に寝かせた状態で患者の前に設置する。【００４６】  又、前面には、鳴声を聞かせる為のスピーカー２８を具備させ、アロマテラピーを応用して精神を安定させる為に芳香剤を発生させる為の装置を内臓させてある（図中略）。【００４７】  これは、高齢者の場合に視力が衰えるのに対し、鳴声から鳥や動物の名前を当てさせる、あるいは何処に居るか等、画面を見ながら指し示してもらうためである。【００４８】  この療法は、患者の言語能力を高める為の療法で、花や動物などの絵を見ながら、それにまつわる過去の楽しかった思い出話などを語ることで痴呆の予防や改善効果を上げる為のトレーニング法である。【００４９】  数人で、過去の思い出を談笑する事で、ボケ防止に効果があることが知られており、そのような効果も当然この回想療法に含まれている。【００５０】  以上の例のごとく、本発明は運動療法を基本にする事で、又、一連の改善方法を夫々プログラム化させたことで、誰にでも行えるようにしてある事に特徴をもつ。【００５１】  又、改善方法であると言うことは、同時に予防方法でもあり、近年その重要性が謳われて来ている介護予防への適用も可能であることを示唆している。【００５２】  更に、精神機能の改善と身体機能の改善の両面からの改善方法は、単に痴呆症にとどまらず、脳障害者、脳梗塞機能障害者、廃用症候群の患者にも応用が可能であるなど、極めて有用な発明となっている。【００５３】  又、各図に見られるごとく、使用する療法用具類は、極めて簡便なものであり、使用に当り特に高い能力や経験、技術を必要とせず、又、各用具類は、リハビリテーション用のものとしては廉価となっている。【００５４】  尚、明細書その他の記述で用いた、温熱マット、フィンガースポーツ、フラハンド、ゲーゴルゲーム、回想療法機：サウンドアクションＱ＆Ａなどの名称は、製品化する場合を想定して付けたものであって、記述内容を分かり易くする為に用いてある。【００５５】  各々の表は、本発明の実施の一例を示すプログラムとなっており、各表中に記述される指導士とは、本発明のプログラムに沿ってリハビリテーションを行う者を意味する名称として用いてある。
【表１】
2006175179.tif 000002
温熱マットと腰安定装置を使用した、（Ａ）感覚機能改善プログラムの例。
【表２】
2006175179.tif 000003
フィンガースポーツを使用した、（Ｂ）身体機能改善プログラムの例。
【表３】
2006175179.tif 000004
フラハンドを使用した、（Ｂ）身体機能改善プログラムの例。
【表４】
2006175179.tif 000005
感覚・筋力強化トレーニングの為の（Ｂ）身体機能改善プログラムの例。
【表５】
2006175179.tif 000006
ゲーゴルゲーム、輪投げを使用した（Ｃ）身体・精神機能改善プログラムの例。
【表６】
2006175179.tif 000007
回想療法機を使用した（Ｄ）知的機能改善プログラムの例。
【図面の簡単な説明】
【００５６】  各図は、本発明に使用される療法用具を夫々描いた斜視図となっている。【図１】  椅子に座り、身体に腰安定装置を装着した状態を表す斜視図である。
【図２】  感覚機能の改善に用いる温熱ボードと温熱マットの斜視図であって、斜め上方にずらして、且つ上部の温熱マットは内部を示す為に一部を欠除して描いてある。
【図３】  フィンガースポーツを手に装着するところを示す斜視図となっている。
【図４】  フラハンドを両手で握り、実施中を示す斜視図である。
【図５】  ゲームマットの上でゲーゴルゲームを行っているところを示す斜視図である。
【図６】  輪投げに用いる輪とピンを具備するフレームを示す要部のみを描いた斜視図であって、図中、得点ゾーンはフレームとの位置関係を示す為に簡略化し且つ破線で示してある。
【図７】  回想療法機の斜視図であって、画面の絵は簡略化して描いてある。
【符号の説明】
【００５７】１            腰当てパッド
２            ベルト
３            膝
４、４’      温熱マット
５            活性マット
６            麦飯石
７            温熱ボード
８、８’      フィンガースポーツの端部
９、９’      円柱
１０          小指
１０’        親指
１１          手
１２          フラハンドのシャフト
１３          プーリー
１４          フープ
１５          ゲームマット
１６          得点ゾーン
１７、２０    スタートライン
１８          球
１９          スティック
２１          変形得点ゾーン
２２          輪投げのフレーム
２３          ピン
２４          輪
２５          脚
２６          回想療法機
２７          画面
２８          スピーカー
【図１】
2006175179.tif 000008
【図２】
2006175179.tif 000009
【図３】
2006175179.tif 000010
【図４】
2006175179.tif 000011
【図５】
2006175179.tif 000012
【図６】
2006175179.tif 000013
【図７】
2006175179.tif 000014
【手続補正書】
【提出日】平成17年8月26日(2005.8.26)
【手続補正１】
【補正対象書類名】特許請求の範囲
【補正対象項目名】全文
【補正方法】変更
【補正の内容】
【特許請求の範囲】
【請求項１】
リハビリテーション用具として温熱マットを用いた（Ａ）感覚機能の改善プログラム、フィンガースポーツ及びフラハンドを用いた（Ｂ）身体機能の改善プログラム、ゲーゴルゲーム及び輪投げを用いた（Ｃ）精神・身体機能の改善プログラム、回想療法機を用いた（Ｄ）知的機能改善プログラム、これら４種の運動療法を基本とした改善プログラムを（Ａ）から（Ｄ）へ順次連続して行うことを特徴とする認知症の予防と改善方法。
【手続補正２】
【補正対象書類名】明細書
【補正対象項目名】全文
【補正方法】変更
【補正の内容】
【発明の詳細な説明】
【技術分野】
【０００１】  本発明は、認知症及び心身機能改善の為のリハビリテーション方法に係るものである。
【背景技術】
【０００２】  従来、認知症は治らないもとの観念が一般的であり、当然のことながら改善方法は、皆無に近い状態であった。【０００３】  近年、介護における認知症の問題が多く取り上げられるように成ってきており、この背景には、介護認定を受けた在宅介護の患者の約半数が認知症状を有し、且つ認知症は進行性の為、放置しておくと症状は更に悪化していく為である。
【発明の開示】
【発明が解決しようとする課題】
【０００４】認知症状に対しては、治すというよりは対症療法として、主に薬物の投与による事が多く、精神安定剤などの投与が続けば、薬による弊害が出てくることが分かっていても行わざるを得ないのが現状である。
【発明の効果】
【０００５】  本発明は、これらの問題点を克服すべく考えられたもので、その特徴としては、薬物に頼らなくても良いように運動療法を基本として、精神面の機能と身体面の機能の改善方法を網羅し、系統的に組み立て、且つ個々の改善法の実践方法をプログラム化したことであり、これは日常生活面の機能の改善の為のプログラムでもある。【０００６】  これにより、誰でもが、プログラム通り行えば、一定の水準の効果を上げる事が出来、このことは、デイサービスセンターなどで、ホームヘルパーなどの特別にリハビリテーションの技術や経験が無い方々にも実行可能なものとなっている。
【発明を実施するための最良の形態】
【０００７】  発明の詳細を述べれば、本リハビリテーション方法は大きくは４つの改善方法から成り立っている。【０００８】  内容的には、（Ａ）感覚機能の改善、（Ｂ）身体機能の改善、（Ｃ）精神・身体機能の改善、（Ｄ）知的機能の改善となり、（Ａ）から（Ｄ）までの各プログラムを連続して行って１回のリハビリテーション療法とする。【０００９】  これを日々繰り返す事で、認知症の改善と予防が行えるものとなっている。【００１０】  更に、これらの４つの改善法は、夫々に必要な専用の用具の適用方法を細分化された指導手順としてプログラム化されてある。【００１１】  本発明の実施の例を各図に、又、プログラムの一例を各表に記載する。【００１２】  プログラムに沿って詳細を説明すれば、先ず（Ａ）感覚機能の改善を行う為に患者を椅子に座らせておこなう。【００１３】  この場合、体に障害のある人、高齢の為足腰が弱っている人等には、腰に図１のように腰安定装置を装着する。【００１４】  ここで用いる腰安定装置は、長方形の布製腰当パッド１の両端に、弧をなすようにベルト２が具備されており、概ベルト２は長さを自在に調整し且つ固定できるようになっている。【００１５】  先ず腰にパッド１を当て、次いでベルト２の弧状部を膝３に掛けて、パッド１が腰にぴったりと圧着するように適宜長さを調整して、腰を安定させる。【００１６】  次いで、予め暖めておいた温熱マット４、４’を用いて、表１の手順で逐次身体の部位を軽くたたきながら、血行促進と筋肉への適度の刺激を与えることで、感覚機能の改善をもたらし、尚且つ次の運動療法への準備とする。【００１７】  温熱療法に用いる温熱マット４、４’は、袋を等間隔に縫製するなどして筒を並べた状態にして、且つ概筒には夫々麦飯石６の細粒を適量充填させた活性マット５が内包さてある。【００１８】  これにより、温熱ボード７上に設置して暖められた温熱マット４、４’は、内部の麦飯石６が熱を保有し、且つ遠赤外線を放射する為、温熱ボード７より離して患者の体の各部に当てて療法を行えるようになっている。【００１９】  又、温熱マット４は１枚を使用して、使わない方の温熱マットは、温熱ボード７上に常備させて適温状態を維持させ、使用中の温熱マット４が冷えてきたら適宜交換して行う。【００２０】  血行が良くなり、動きやすくなっている事を確認して、（Ｂ）身体機能の改善の為、二種類の有酸素運動療法を夫々に専用の用具を用いて行う。【００２１】  最初は、手指腕運動機能活性化のトレーニング用具、フィンガースポーツを用いて有酸素運動を行う。【００２２】  これは図３に示すように、端部８、８’が樽状を呈し且つ端部８，８’は６本の円柱９、９’で繋がっており、ゴム等の適度の柔軟性を持つ材料で作られており、材質的には、樹脂を用いても良い。【００２３】  この６本の円柱９、９’の間隙に、手の指を小指１０から親指１０’までを順次奥まで挿入し、両手に装着した状態で、腕の伸縮に合わせて手を握ったり、開いたりの運動を、表２のプログラムのように繰り返す。【００２４】  これにより、指の各部にあるツボが適宜刺激を受け、且つ手の開閉運動は手と指の筋肉を強化し、筋肉の運動により血液の循環を良くして、筋肉に多くの酸素を供給し、上腕の運動とが相まって、脳への適度の刺激を与えつつ、身体機能の改善を促す事になる。【００２５】  又、歌を唄いながら、歌に合わせて運動を行うことでリズム感やスピード感が身に付き、緩慢な動作が改善される効果をもつだけでなく、簡単な学童唱歌を歌う場合に脳が活性化されることが知られており、又これにより、リハビリテーションを受けているという患者側の意識を少なくさせることで、継続的にリハビリテーションを行える利点も有する。【００２６】  次いで、フラハンドを用具として用いて、表３のプログラムに見られる様に有酸素運動を行う。【００２７】  実施中の状態を図４に示せば、中央にプーリー１３を有するシャフト１２にフープ１４を組み合わせて、シャフト１２の両側を手１１で握り、腕を伸ばした状態で膝を軽く屈伸させて、フープ１４がプーリー１３を中心にして偏心回転運動を行うようにさせる。【００２８】  この運動により、体の平衡感覚が養われ、又、膝の屈伸運動に依り衰えがちな足腰の強化を促進して、身体機能の改善のみならず介護予防にも役立つものと成っている。【００２９】    その後で、腕と足の感覚・筋力の強化の為に表４のプログラムに沿ってトレーニングを行い、運動療法の終了後は水分補給と休憩を適度にとる。【００３０】  通常では、これらの療法で午前中を費やす事になり、昼食を取り、残りの療法は午後から行うことと成る。【００３１】  （Ｃ）精神・身体機能の改善として、簡便なゲーム、すなわち輪投げと室内用球技を行うが、これは、何人もの患者を一度に行わせることにより、コミュニケーションを図らせる目的も持たせてある。【００３２】  先ず、ゲームマット１５を用いて輪投げを行うが、格子状のフレーム２２に着脱自在のピン２３が装着させてあり、フレーム２２は後部に脚２５を装着させてゲームマット１５の得点ゾーン１６上に設置する。【００３３】  フレーム２２は後部が持ち上がった事より、下の得点ゾーン１６の数字（図５を参照）に該当するピン２３の得点が見やすくなるばかりか、前方に対して、即ち輪２４が飛んで来る方向に先端を向けることで入れ易く、又、ピン２３全体がスタートライン１７から見易くしてある。【００３４】  スタートライン１７から輪２４を投げる事で、即ち動作としては腰をかがめ、足はライン１７を越えないように踏ん張り、上腕と共に斜め前方へ身体を伸ばすようにして輪２４を狙ったピン２３に投げる事により、上肢、下肢の全身を使い、且つ目は前方のピン２３を見据える事で、集中力が高まり、又、バランス感覚の向上を図ることに効果がある。【００３５】  室内球技としては、ゲートボールとゴルフのパターを組み合わせたようなゲーゴルゲームを、縦１ｍ×横５ｍのカーペットに類似したゲームマット１５を用いて行う。【００３６】  ゲームマット１５は適当な位置に得点ゾーン１６を有して、スタートライン１７より球１８を概得点ゾーン１６にスティック１９で打撃して得点を競うもので、ゲートボールの大きな球とスティックを用いて行うゲーゴルゲーム、ゴルフの小さい球とパターを用いるゴルフゲームの２種類のゲームを行う。【００３７】  ルールに関しては、衆知のゲートボールのルールを基にして、室内用である事と、コートの大きさが異なる為、それに合わせた内容としてある。（ルールの詳細は、本発明の内容に必ずしも必要としない為、記述を省略する。）【００３８】  図５は、ゲーゴルゲームを行っている状態を表す斜視図となっている。【００３９】  図中２１は変形得点ゾーンとなっており、ゴルフゲームをスタートライン２０から行う時に使用する。【００４０】  このように両側からゲームを行うので、患者は自発的に歩行する事になり、膝を軽くかがめてスティク１９で球１８を打つ、打ったボールをしゃがんで拾う等の動作の繰り返しは、運動能力を向上させる効果がある。【００４１】  加えて、レクリエーション的要素を加味して、ゲームを行うことで各自が知らないうちに高得点を競い合う結果、集中力、気力、行動力、判断力などを必然的に向上させることになる。【００４２】  高得点のゾーンを狙って投げた輪や打球した球が入った時の達成感、それに伴う他の患者達や介護者からの称賛の声などは、日頃は認知症患者として、阻害されたり馬鹿にされてきた人達にとっては、他人に認められたという満足感、やればできるという自信へと繋がって行くことにも成り、このことは、高齢者の尊厳の擁護にも関連するものである。【００４３】  又、いずれのゲームも本人に得点を計算させるが、これは簡単な計算を行う場合に、脳の大部分が使われている事が医学的に知られており、１〜２桁の加減計算を瞬時に何度も行うことで、脳が活性化される効果を目的としてある。【００４４】  ゲームの後に（Ｄ）知的機能の改善の為に回想療法を行うが、動から静へ、環境を変えることで、環境に対する適応力の向上を図り、且つ、本来の回想療法の効果、聴く、見る、話す、書くの日常生活に欠かせない機能の向上を図るものである。【００４５】  回想療法機２６は、一枚のパネル２７に動物や鳥や花を程良く一枚の絵となるように配置し描いてあり、且つ裏面より光を照射させ、画面をやや後方に寝かせた状態で患者の前に設置する。【００４６】  又、前面には、鳴声を聞かせる為のスピーカー２８を具備させ、アロマテラピーを応用して精神を安定させる為に芳香剤を発生させる為の装置を内蔵させてある（図中略）。【００４７】  これは、高齢者の場合に視力が衰えるのに対し、鳴声から鳥や動物の名前を当てさせる、あるいは何処に居るか等、画面を見ながら指し示してもらうためである。【００４８】  この療法は、患者の言語能力を高める為の療法で、花や動物などの絵を見ながら、それにまつわる過去の楽しかった思い出話などを語ることで認知症の予防や改善効果を上げる為のトレーニング法である。【００４９】  数人で、過去の思い出を談笑する事で、ボケ防止に効果があることが知られており、そのような効果も当然この回想療法に含まれている。【００５０】  以上の例のごとく、本発明は運動療法を基本にする事で、又、一連の改善方法を夫々プログラム化させたことで、誰にでも行えるようにしてある事に特徴をもつ。【００５１】  又、改善方法であると言うことは、同時に予防方法でもあり、近年その重要性が謳われて来ている介護予防への適用も可能であることを示唆している。【００５２】  更に、精神機能の改善と身体機能の改善の両面からの改善方法は、単に認知症にとどまらず、脳障害者、脳梗塞機能障害者、廃用症候群の患者にも応用が可能であるなど、極めて有用な発明となっている。【００５３】  又、各図に見られるごとく、使用する療法用具類は、極めて簡便なものであり、使用に当り特に高い能力や経験、技術を必要とせず、又、各用具類は、リハビリテーション用のものとしては廉価となっている。【００５４】  尚、明細書その他の記述で用いた、温熱マット、フィンガースポーツ、フラハンド、ゲーゴルゲーム、回想療法機：サウンドアクションＱ＆Ａなどの名称は、製品化する場合を想定して付けたものであって、記述内容を分かり易くする為に用いてある。【００５５】  各々の表は、本発明の実施の一例を示すプログラムとなっており、各表中に記述される指導士とは、本発明のプログラムに沿ってリハビリテーションを行う者を意味する名称として用いてある。
【表１】
2006175179.tif 000015
温熱マットと腰安定装置を使用した、（Ａ）感覚機能改善プログラムの例。
【表２】
2006175179.tif 000016
フィンガースポーツを使用した、（Ｂ）身体機能改善プログラムの例。
【表３】
2006175179.tif 000017
フラハンドを使用した、（Ｂ）身体機能改善プログラムの例。
【表４】
2006175179.tif 000018
感覚・筋力強化トレーニングの為の（Ｂ）身体機能改善プログラムの例。
【表５】
2006175179.tif 000019
ゲーゴルゲーム、輪投げを使用した（Ｃ）身体・精神機能改善プログラムの例。
【表６】
2006175179.tif 000020
回想療法機を使用した（Ｄ）知的機能改善プログラムの例。
【図面の簡単な説明】
【００５６】  各図は、本発明に使用される療法用具を夫々描いた斜視図となっている。【図１】  椅子に座り、身体に腰安定装置を装着した状態を表す斜視図である。
【図２】  感覚機能の改善に用いる温熱ボードと温熱マットの斜視図であって、斜め上方にずらして、且つ上部の温熱マットは内部を示す為に一部を欠除して描いてある。
【図３】  フィンガースポーツを手に装着するところを示す斜視図となっている。
【図４】  フラハンドを両手で握り、実施中を示す斜視図である。
【図５】  ゲームマットの上でゲーゴルゲームを行っているところを示す斜視図である。
【図６】  輪投げに用いる輪とピンを具備するフレームを示す要部のみを描いた斜視図であって、図中、得点ゾーンはフレームとの位置関係を示す為に簡略化し且つ破線で示してある。
【図７】  回想療法機の斜視図であって、画面の絵は簡略化して描いてある。
【符号の説明】
【００５７】１            腰当てパッド
２            ベルト
３            膝
４、４’      温熱マット
５            活性マット
６            麦飯石
７            温熱ボード
８、８’      フィンガースポーツの端部
９、９’      円柱
１０          小指
１０’        親指
１１          手
１２          フラハンドのシャフト
１３          プーリー
１４          フープ
１５          ゲームマット
１６          得点ゾーン
１７、２０    スタートライン
１８          球
１９          スティック
２１          変形得点ゾーン
２２          輪投げのフレーム
２３          ピン
２４          輪
２５          脚
２６          回想療法機
２７          画面
２８          スピーカー